(57)【要約】本発明にかかる基地局にあっては、ＡＣＫ／ＮＡＣＫおよびＣＱＩに基づいてパケットスケジューリングを行う基地局であって、Ｍ個の端末から同時に送られてくるＭ個の受信信号に含まれるＣＱＩ信号の中からＮ個のＣＱＩ信号を選択し、選択されたＮ個のＣＱＩ信号を復調および復号するための制御を行う受信処理制御部（１）と、選択されたＮ個のＣＱＩ信号を復調するための復調処理部（３−１〜３−Ｎ）と、Ｎ個の復調信号を復号するための復号処理部（４−１〜４−Ｎ）と、復号結果として得られるＣＱＩ値に基づいて、各端末へ送信するパケットデータのスケジューリングを行うスケジューラ（５）と、前記復号結果として得られるすべてのＣＱＩ値を記憶しておくメモリ（６）と、を備える。【特許請求の範囲】
【請求項１】
ＡＣＫ（Ａｃｋｎｏｗｌｅｄｇｅｍｅｎｔ）／ＮＡＣＫ（ｎｏｎ−Ａｃｋｎｏｗｌｅｄｇｅｍｅｎｔ）およびＣＱＩ（Ｃｈａｎｎｅｌ  Ｑｕａｌｉｔｙ  Ｉｎｄｉｃａｔｏｒ）に基づいてパケットスケジューリングを行う基地局において、
Ｍ（２以上の整数）個の端末から同時に送られてくるＭ個の受信信号に含まれるＣＱＩ信号の中から、Ｎ（Ｍ＞Ｎの整数）個のＣＱＩ信号を選択し、選択されたＮ個のＣＱＩ信号を復調および復号するための制御を行う受信処理制御手段と、
選択されたＮ個のＣＱＩ信号を復調するための復調手段と、
前記復調手段が出力するＮ個の復調信号を復号するための復号手段と、
復号結果として得られるＣＱＩ値に基づいて、各端末へ送信するパケットデータのスケジューリングを行うスケジューラ手段と、
前記復号結果として得られるすべてのＣＱＩ値を記憶しておくＣＱＩ値記憶手段と、
を備え、
前記スケジューラ手段は、前記選択されなかったＣＱＩ信号を送信した端末宛のパケットデータのスケジューリングを行う場合、当該端末に対応した以前のＣＱＩ値を前記ＣＱＩ値記憶手段から読み出して行うことを特徴とする基地局。
【請求項２】
前記受信処理制御手段は、前記Ｎ個のＣＱＩ信号を選択する場合に、Ｒｏｕｎｄ−Ｒｏｂｉｎ方式を用いることを特徴とする請求の範囲第１項に記載の基地局。
【請求項３】
さらに、前記スケジューリングの結果に基づいてＣＱＩ信号の受信優先順位を決定する優先順位決定手段、
を備え、
前記受信処理制御手段は、前記Ｍ個の受信信号に含まれるＣＱＩ信号の中から、優先順位の高い順にＮ個のＣＱＩ信号を選択することを特徴とする請求の範囲第１項に記載の基地局。
【請求項４】
前記優先順位決定手段は、次サブフレームにてパケット送信を行うべくスケジューリングされている端末から送られてくるＣＱＩ信号の受信優先順位を上げる処理を行うことを特徴とする請求の範囲第３項に記載の基地局。
【請求項５】
前記優先順位決定手段は、同一サブフレームにてＡＣＫ／ＮＡＣＫ信号とＣＱＩ信号とを送信した端末からのＣＱＩ信号の受信優先順位を上げる処理を行うことを特徴とする請求の範囲第３項に記載の基地局。
【請求項６】
前記優先順位決定手段は、特定の端末から、前回のＣＱＩ受信以降にｎ（ｎは自然数）回以上にわたってＮＡＣＫを受信した場合、その端末から送信されるＣＱＩ信号の受信優先順位を上げる処理を行うことを特徴とする請求の範囲第３項に記載の基地局。
【請求項７】
さらに、前記優先順位決定手段は、特定の端末から、前回のＣＱＩ受信以降にｎ（ｎは自然数）回以上にわたってＡＣＫを受信した場合、その端末から送信されるＣＱＩ信号の受信優先順位を下げる処理を行うことを特徴とする請求の範囲第６項に記載の基地局。
【請求項８】
前記優先順位決定手段は、ＣＱＩ値の変動が大きい端末から送られてくるＣＱＩ信号の受信優先順位を上げる処理を行うことを特徴とする請求の範囲第３項に記載の基地局。
【請求項９】
前記優先順位決定手段は、ＳＩＲ（Ｓｉｇｎａｌ  ｔｏ  Ｉｎｔｅｒｆｅｒｅｎｃｅ  Ｒａｔｉｏ）値の変動が大きい端末から送られてくるＣＱＩ信号の受信優先順位を上げる処理を行うことを特徴とする請求の範囲第３項に記載の基地局。
【請求項１０】
前記優先順位決定手段は、前回ＣＱＩ信号が送られてきたにもかかわらず、受信するＣＱＩ信号として選択されなかった端末からのＣＱＩ信号の受信優先順位を上げる処理を行うことを特徴とする請求の範囲第３項に記載の基地局。
【請求項１１】
前記優先順位決定手段は、送信待ちパケットの量が多い宛先端末から送られてくるＣＱＩ信号の受信優先順位を上げる処理を行うことを特徴とする請求の範囲第３項に記載の基地局。
【請求項１２】
前記復調手段は、単一または複数（Ｎ以下）の復調処理部を有し、
前記復号手段は、Ｎ個の復号処理部を有し、
前記復調処理部は、前記各端末から同時に送られてくるＮ個のＣＱＩ信号のうちの、いくつか（２〜Ｎ個）のＣＱＩ信号の所定区間を時分割で順に復調し、Ｎ個の前記所定区間の復調信号を出力し、
前記各復号処理部は、復調処理が行われていない前記所定区間以外の部分に０を挿入した状態のＮ個の復調信号を生成し、当該Ｎ個の復調信号を個別に復号することを特徴とする請求の範囲第１項に記載の基地局。
【請求項１３】
前記スケジューラ手段は、
新たに得られたＣＱＩ値と、当該ＣＱＩ値に対応する前記ＣＱＩ値記憶手段に蓄積された前回のＣＱＩ値と、を比較し、その差分が規定値を超える場合、前記新たなＣＱＩ値を廃棄し、
前記前回のＣＱＩ値を用いて、前記廃棄されたＣＱＩ値に対応する端末宛のパケットデータのスケジューリングを行うことを特徴とする請求の範囲第１２項に記載の基地局。
【請求項１４】
前記受信処理制御手段は、
Ｎ個の復調処理部が、前記選択されたＮ個のＣＱＩ信号を復調し、さらに、Ｎ個の復号処理部が、前記Ｎ個の復調処理部が出力するＮ個の復調信号を復号する第１の処理と、
復調処理部が、前記選択されたＮ個のＣＱＩ信号のうちの、いくつか（２〜Ｎ個）のＣＱＩ信号の所定区間を時分割で順に復調し、Ｎ個の前記所定区間の復調信号を出力し、さらに、Ｎ個の復号処理部が、復調処理が行われていない前記所定区間以外の部分に０を挿入した状態のＮ個の復調信号を生成し、当該Ｎ個の復調信号を個別に復号する第２の処理と、
を通信状態に応じて切り替えることを特徴とする請求の範囲第１２項に記載の基地局。
【請求項１５】
前記通信状態を判断する基準として、ＳＩＲ（Ｓｉｇｎａｌ  ｔｏ  Ｉｎｔｅｒｆｅｒｅｎｃｅ  Ｒａｔｉｏ）値を用いることを特徴とする請求の範囲第１４項に記載の基地局。
【請求項１６】
前記通信状態を判断する基準として、Ａ−ＤＰＣＨ（付随個別チャネル）のＣＲＣ（Ｃｙｃｌｉｃ  Ｒｅｄｕｎｄａｎｃｙ  Ｃｈｅｃｋ）誤り率を用いることを特徴とする請求の範囲第１４項に記載の基地局。
【請求項１７】
前記通信状態を判断する基準として、新たに得られたＣＱＩ値と当該ＣＱＩ値に対応する前回のＣＱＩ値との差分を用いることを特徴とする請求の範囲第１４項に記載の基地局。
【請求項１８】
前記復調手段は、単一または複数（Ｎ以下）の復調処理部を有し、
前記復調処理部は、前記各端末から同時に送られてくるＮ個のＣＱＩ信号のうちのいくつか（２〜Ｎ個）のＣＱＩ信号を、サブフレーム毎に時分割で復調することを特徴とする請求の範囲第１項に記載の基地局。
【請求項１９】
ＡＣＫ（Ａｃｋｎｏｗｌｅｄｇｅｍｅｎｔ）／ＮＡＣＫ（ｎｏｎ−Ａｃｋｎｏｗｌｅｄｇｅｍｅｎｔ）およびＣＱＩ（Ｃｈａｎｎｅｌ  Ｑｕａｌｉｔｙ  Ｉｎｄｉｃａｔｏｒ）に基づいてパケットスケジューリングを行う基地局において、
Ｍ（２以上の整数）個の端末から同時に送られてくるＭ個の受信信号を記憶しておく受信信号記憶手段と、
前記Ｍ個の受信信号に含まれるＣＱＩ信号の中から、Ｎ（Ｍ＞Ｎの整数）個のＣＱＩ信号を選択し、選択されたＮ個のＣＱＩ信号を復調および復号するための制御を行う受信処理制御手段と、
選択されたＮ個のＣＱＩ信号を復調するための復調手段と、
前記復調手段が出力するＮ個の復調信号を復号するための復号手段と、
復号結果として得られるＣＱＩ値に基づいて、各端末へ送信するパケットデータのスケジューリングを行うスケジューラ手段と、
前記復号結果として得られるすべてのＣＱＩ値を記憶しておくＣＱＩ値記憶手段と、
を備え、
前記受信処理制御手段は、前記選択されたＮ個のＣＱＩ信号に対する復調処理を行っていない時間を利用して、前記受信信号記憶手段から前記選択されなかったＣＱＩ信号を読み出し、復調するように、前記復調手段を制御することを特徴とする基地局。
【請求項２０】
前記スケジューラ手段は、前記選択されなかったＣＱＩ信号を送信した端末宛のパケットデータのスケジューリングを行う場合、当該端末に対応した以前のＣＱＩ値を前記ＣＱＩ値記憶手段から読み出し、そのＣＱＩ値をＡＣＫ／ＮＡＣＫの受信回数に応じて補正し、当該補正後のＣＱＩ値を用いて行うことを特徴とする請求の範囲第１項に記載の基地局。
【請求項２１】
Ｍ（２以上の整数）個の端末から同時に送られてくるＭ個の受信信号に含まれるＣＱＩ（Ｃｈａｎｎｅｌ  Ｑｕａｌｉｔｙ  Ｉｎｄｉｃａｔｏｒ）信号の中から、Ｎ（Ｍ＞Ｎの整数）個のＣＱＩ信号を選択して受信する基地局における受信方法であって、
前記Ｍ個の端末が次サブフレームにてパケット送信を行うべくスケジューリングされている端末かどうかを個別に調査する調査ステップと、
前記調査の結果、パケット送信を行うべくスケジューリングされている端末の場合、当該端末が送信するＣＱＩ信号の受信優先順位を上げ、一方で、パケット送信を行うべくスケジューリングされていない端末の場合は、当該端末が送信するＣＱＩ信号の受信優先順位を保持する優先順位決定ステップと、
前記Ｍ個の受信信号に含まれるＣＱＩ信号の中から、受信優先順位の高い順にＮ個のＣＱＩ信号を選択して受信するＣＱＩ信号受信ステップと、
を含むことを特徴とする受信方法。
【請求項２２】
Ｍ（２以上の整数）個の端末から同時に送られてくるＭ個の受信信号に含まれるＣＱＩ（Ｃｈａｎｎｅｌ  Ｑｕａｌｉｔｙ  Ｉｎｄｉｃａｔｏｒ）信号の中から、Ｎ（Ｍ＞Ｎの整数）個のＣＱＩ信号を選択して受信する基地局における受信方法であって、
ＣＱＩ信号毎に同一サブフレームにてＡＣＫ／ＮＡＣＫ信号を受信したかどうかを調査する調査ステップと、
前記調査の結果、同一サブフレームにてＡＣＫ／ＮＡＣＫ信号を受信している場合、当該ＣＱＩ信号の受信優先順位を上げ、一方で、同一サブフレームにてＡＣＫ／ＮＡＣＫ信号を受信していない場合は、当該ＣＱＩ信号の受信優先順位を保持する優先順位決定ステップと、
前記Ｍ個の受信信号に含まれるＣＱＩ信号の中から、受信優先順位の高い順にＮ個のＣＱＩ信号を選択して受信するＣＱＩ信号受信ステップと、
を含むことを特徴とする受信方法。
【請求項２３】
Ｍ（２以上の整数）個の端末から同時に送られてくるＭ個の受信信号に含まれるＣＱＩ（Ｃｈａｎｎｅｌ  Ｑｕａｌｉｔｙ  Ｉｎｄｉｃａｔｏｒ）信号の中から、Ｎ（Ｍ＞Ｎの整数）個のＣＱＩ信号を選択して受信する基地局における受信方法であって、
前回のＣＱＩ受信以降にｎ回以上にわたってＮＡＣＫを受信したかどうかを前記端末毎に調査する調査ステップと、
前記調査の結果、ｎ回以上にわたってＮＡＣＫを受信していた場合、対応する端末が送信するＣＱＩ信号の受信優先順位を上げ、一方で、ｎ回以上にわたってＮＡＣＫを受信していなかった場合は、対応する端末が送信するＣＱＩ信号の受信優先順位を保持する優先順位決定ステップと、
前記Ｍ個の受信信号に含まれるＣＱＩ信号の中から、受信優先順位の高い順にＮ個のＣＱＩ信号を選択して受信するＣＱＩ信号受信ステップと、
を含むことを特徴とする受信方法。
【請求項２４】
Ｍ（２以上の整数）個の端末から同時に送られてくるＭ個の受信信号に含まれるＣＱＩ（Ｃｈａｎｎｅｌ  Ｑｕａｌｉｔｙ  Ｉｎｄｉｃａｔｏｒ）信号の中から、Ｎ（Ｍ＞Ｎの整数）個のＣＱＩ信号を選択して受信（復調および復号を含む）する基地局における受信方法であって、
前回の復号結果として得られたＣＱＩ値と前々回の復号結果として得られたＣＱＩ値との差分を前記端末毎に計算し、その計算結果を受信優先順位とする優先順位決定ステップと、
前記Ｍ個の受信信号に含まれるＣＱＩ信号の中から、受信優先順位の高い順にＮ個のＣＱＩ信号を選択して受信するＣＱＩ信号受信ステップと、
を含むことを特徴とする受信方法。
【請求項２５】
Ｍ（２以上の整数）個の端末から同時に送られてくるＭ個の受信信号に含まれるＣＱＩ（Ｃｈａｎｎｅｌ  Ｑｕａｌｉｔｙ  Ｉｎｄｉｃａｔｏｒ）信号の中から、Ｎ（Ｍ＞Ｎの整数）個のＣＱＩ信号を選択して受信する基地局における受信方法であって、
前記Ｍ個の受信信号のＳＩＲ（Ｓｉｇｎａｌ  ｔｏ  Ｉｎｔｅｒｆｅｒｅｎｃｅ  Ｒａｔｉｏ）値を定期的に計算し、その計算結果をメモリに保存しておくＳＩＲ計算ステップと、
前記メモリに保存されている前回計算されたＳＩＲ値と前々回に計算されたＳＩＲ値との差分を前記端末毎に計算し、その計算結果を受信優先順位とする優先順位決定ステップと、
前記Ｍ個の受信信号に含まれるＣＱＩ信号の中から、受信優先順位の高い順にＮ個のＣＱＩ信号を選択して受信するＣＱＩ信号受信ステップと、
を含むことを特徴とする受信方法。
【請求項２６】
Ｍ（２以上の整数）個の端末から同時に送られてくるＭ個の受信信号に含まれるＣＱＩ（Ｃｈａｎｎｅｌ  Ｑｕａｌｉｔｙ  Ｉｎｄｉｃａｔｏｒ）信号の中から、Ｎ（Ｍ＞Ｎの整数）個のＣＱＩ信号を選択して受信する基地局における受信方法であって、
前回のＣＱＩ信号の受信時において、前記各端末が送信するＣＱＩ信号を受信したかどうかを調査する調査ステップと、
前記調査の結果、前回のＣＱＩ信号を受信していなかった場合、対応する端末が送信するＣＱＩ信号の受信優先順位を上げ、一方で、前回のＣＱＩ信号を受信していた場合は、対応する端末が送信するＣＱＩ信号の受信優先順位を保持する優先順位決定ステップと、
前記Ｍ個の受信信号に含まれるＣＱＩ信号の中から、受信優先順位の高い順にＮ個のＣＱＩ信号を選択して受信するＣＱＩ信号受信ステップと、
を含むことを特徴とする受信方法。
【請求項２７】
Ｍ（２以上の整数）個の端末から同時に送られてくるＭ個の受信信号に含まれるＣＱＩ（Ｃｈａｎｎｅｌ  Ｑｕａｌｉｔｙ  Ｉｎｄｉｃａｔｏｒ）信号の中から、Ｎ（Ｍ＞Ｎの整数）個のＣＱＩ信号を選択して受信する基地局における受信方法であって、
送信待ちパケットの宛先端末を調査する調査ステップと、
前記調査結果として得られる各端末宛の送信待ちパケットの個数を受信優先順位とする優先順位決定ステップと、
前記Ｍ個の受信信号に含まれるＣＱＩ信号の中から、受信優先順位の高い順にＮ個のＣＱＩ信号を選択して受信するＣＱＩ信号受信ステップと、
を含むことを特徴とする受信方法。
【発明の詳細な説明】
【技術分野】  この発明は、パケットデータ伝送を行う通信システムを構成する基地局に関するものであり、詳細には、ＡＣＫ（Ａｃｋｎｏｗｌｅｄｇｅｍｅｎｔ）／ＮＡＣＫ（ｎｏｎ−Ａｃｋｎｏｗｌｅｄｇｅｍｅｎｔ）およびＣＱＩ（Ｃｈａｎｎｅｌ  Ｑｕａｌｉｔｙ  Ｉｎｄｉｃａｔｏｒ）に基づいてパケットデータの送信スケジュールを決定する基地局および当該基地局によるＣＱＩ信号の受信方法に関するものである。
【背景技術】  以下、従来の通信システムの処理の一例について説明する。
３ＧＰＰ（３ｒｄ  ｇｅｎｅｒａｔｉｏｎ  ｐａｒｔｎｅｒｓｈｉｐ  ｐｒｏｊｅｃｔ）においては、第３．５世代移動体通信として、ｄｏｗｎｌｉｎｋの無線通信を高速に行うための規格（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）が定められている。
上記ＨＳＤＰＡ移動体通信では、基地局が、Ｎ個の端末と接続され、各端末に対してパケットデータを送信している。このとき、全ての端末で共通のＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が、パケットデータの伝送に用いられる。一方、端末が正しくパケットを受信できなかった場合の基地局に対する再送要求や、端末から基地局への通信品質に関する情報の通知は、各端末に個別に割り当てられるｕｐｌｉｎｋ用個別チャネルであるＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）が用いられる。また、これらとは別に、付随個別チャネルＡ−ＤＰＣＨ（Ｄｅｄｉｃａｔｅｄ  Ｐｈｙｓｉｃａｌ  Ｃｈａｎｎｅｌ）が規定されており、このチャネルによって送信電力制御コマンド等が伝送される。
また、下記非特許文献１においては、上記ＨＳ−ＤＰＣＣＨが、ＡＣＫ／ＮＡＣＫ信号により再送の要否を通知するためのＨＡＲＱ−ＡＣＫと、通信品質を通知するためのＣＱＩと、から構成されている。そして、ＨＡＲＱ−ＡＣＫにおいては、信頼性を高めるために同一信号を複数回にわたって反復して送信し（１０ビット）、ＣＱＩについては、誤り訂正符号化を行うことによりデータの信頼性を高めている。このようなＨＡＲＱ−ＡＣＫおよびＣＱＩの１周期の単位をサブフレームと呼んでいる。
ここで、基地局が上記ＨＳ−ＤＰＣＣＨの信号を受信するための動作について説明する。
まず、基地局では、たとえば、Ｎ個の端末から送られてくるＨＳ−ＤＰＣＣＨ信号に対応する逆拡散コードを発生し、各端末からのＨＳ−ＤＰＣＣＨ信号を個別に抽出、復調し、さらに、復調後の信号を復号する。そして、基地局内のスケジューラが、受信ＨＳ−ＤＰＣＣＨ信号（ＨＡＲＱ−ＡＣＫ，ＣＱＩ）に基づいて、ＨＳ−ＤＳＣＨによる下りリンクパケットデータの送信スケジュールを決定する。
ＣＱＩ信号の通知タイミングは、下記非特許文献２および下記非特許文献１によって、下記（１）式のように規定されている。
2005122263.tif 000002
なお、上記ｋは、”Ｃｈａｎｎｅｌ  Ｑｕａｌｉｔｙ  Ｉｎｄｉｃａｔｏｒ（ＣＱＩ）ｆｅｅｄｂａｃｋ  ｃｙｃｉｅ  ｋ”と定義され、準固定パラメータである。また、上記ＣＦＮ（Ｃｏｎｎｅｃｔｉｏｎ  Ｆｒａｍｅ  Ｎｕｍｂｅｒ）は、ＣＱＩ送信の基準となる時刻情報である。また、上記ｍは、以下の条件式を満たす値をとる。
2005122263.tif 000003
すなわち、ＣＱＩは、ＣＦＮ（Ｃｏｎｎｅｃｔｉｏｎ  Ｆｒａｍｅ  Ｎｕｍｂｅｒ）により決定されるタイミングによって周期的に通知される。
［非特許文献１］  ３ＧＰＰ規格ＴＳ２５．２１１  ｖ５．４．０
［非特許文献２］  ３ＧＰＰ規格ＴＳ２５．２１４  ｖ５．５．０
しかしながら、前述した従来の通信システムにおいては、各端末のＣＦＮタイミングによっては、ＣＱＩ通知タイミングが集中する可能性がある。最悪のケースでは、接続された全ての端末から、同時にＣＱＩ通知が行われる場合がある。このような場合、基地局では、それらを同時に受信する必要があるため、たとえば、Ｎ個の端末と接続する場合には、各ＨＳ−ＤＰＣＣＨに対応したＮ個の復調回路，復号回路が必要となり、基地局のハードウェア規模増大につながる、という問題があった。
本発明は、上記に鑑みてなされたものであって、従来と比較してハードウェア規模の削減を実現可能な基地局を提供することを目的としている。
【発明の開示】
本発明にかかる基地局にあっては、ＡＣＫ（Ａｃｋｎｏｗｌｅｄｇｅｍｅｎｔ）／ＮＡＣＫ（ｎｏｎ−Ａｃｋｎｏｗｌｅｄｇｅｍｅｎｔ）およびＣＱＩ（Ｃｈａｎｎｅｌ  Ｑｕａｌｉｔｙ  Ｉｎｄｉｃａｔｏｒ）に基づいてパケットスケジューリングを行う基地局であって、Ｍ（２以上の整数）個の端末から同時に送られてくるＭ個の受信信号に含まれるＣＱＩ信号の中から、Ｎ（Ｍ＞Ｎの整数）個のＣＱＩ信号を選択し、選択されたＮ個のＣＱＩ信号を復調および復号するための制御を行う受信処理制御手段と、選択されたＮ個のＣＱＩ信号を復調するための復調手段と、前記復調手段が出力するＮ個の復調信号を復号するための復号手段と、復号結果として得られるＣＱＩ値に基づいて、各端末へ送信するパケットデータのスケジューリングを行うスケジューラ手段と、前記復号結果として得られるすべてのＣＱＩ値を記憶しておくＣＱＩ値記憶手段と、を備え、前記スケジューラ手段は、前記選択されなかったＣＱＩ信号を送信した端末宛のパケットデータのスケジューリングを行う場合、当該端末に対応した以前のＣＱＩ値を前記ＣＱＩ値記憶手段から読み出して行うことを特徴とする。
この発明によれば、複数端末から同時に送られてくるＭ個のＣＱＩ信号の中から選択されたＮ個のＣＱＩ信号を受信し、その結果をスケジューラに供給することとした。また、残りのＭ−Ｎ個の端末から送られてくるＣＱＩ信号については、以前にそれらの端末から受信したＣＱＩ値をＣＱＩ値記憶手段から読み出し、その結果をスケジューラに供給することとした。
【図面の簡単な説明】  第１図は、本発明にかかる基地局の実施の形態１の構成を示す図であり、第２図は、復調するＣＱＩ信号の選択方法を説明するための図であり、第３図は、本発明にかかる基地局の実施の形態２の構成を示す図であり、第４図は、ＣＱＩ信号の受信優先順位の決定方法を示す実施の形態３のフローチャートであり、第５図は、実施の形態４の概念を示す図であり、第６図は、ＣＱＩ信号の受信優先順位の決定方法を示す実施の形態４のフローチャートであり、第７図は、実施の形態５の概念を示す図であり、第８図は、ＣＱＩ信号の受信優先順位の決定方法を示す実施の形態５のフローチャートであり、第９図は、本発明にかかる基地局の実施の形態６の構成を示す図であり、第１０図は、ＣＱＩ信号の受信優先順位の決定方法を示す実施の形態６のフローチャートであり、第１１図は、本発明にかかる基地局の実施の形態７の構成を示す図であり、第１２図は、ＣＱＩ信号の受信優先順位の決定方法を示す実施の形態７のフローチャートであり、第１３図は、実施の形態８の概念を示す図であり、第１４図は、ＣＱＩ信号の受信優先順位の決定方法を示す実施の形態８のフローチャートであり、第１５図は、本発明にかかる基地局の実施の形態９の構成を示す図であり、第１６図は、ＣＱＩ信号の受信優先順位の決定方法を示す実施の形態９のフローチャートであり、第１７図は、実施の形態１０の概念を示す図であり、第１８図は、本発明にかかる基地局の実施の形態１０の構成を示す図であり、第１９図は、本発明にかかる基地局の実施の形態１１の構成を示す図であり、第２０図は、本発明にかかる基地局の実施の形態１２の構成を示す図であり、第２１図は、本発明にかかる基地局の実施の形態１３の構成を示す図であり、第２２図は、本発明にかかる基地局の実施の形態１４の構成を示す図であり、第２３図は、実施の形態１５の概念を示す図であり、第２４図は、本発明にかかる基地局の実施の形態１６の構成を示す図であり、第２５図は、本発明にかかる基地局の実施の形態１７の構成を示す図である。
【発明を実施するための最良の形態】  以下に、本発明にかかる基地局および受信方法の実施の形態を、図面に基づいて詳細に説明する。なお、この実施の形態により本発明が限定されるものではない。
実施の形態１．
第１図は、本発明にかかる基地局の実施の形態１の構成を示す図であり、受信処理制御部１と、逆拡散コード発生部２−１，２−２，…，２−Ｎと、ＨＳ−ＤＰＣＣＨ復調処理部３−１，３−２，…，３−Ｎと、ＨＳ−ＤＰＣＣＨ復号処理部４−１，４−２，…，４−Ｎと、スケジューラ５と、メモリ６と、パケットキュー７と、を備えている。
ここで、上記のように構成される基地局の動作について説明する。たとえば、接続端末数が増加し、同時に受信すべきＣＱＩ信号数Ｍが、ＨＳ−ＤＰＣＣＨ復調処理部３−１〜３−ＮおよびＨＳ−ＤＰＣＣＨ復号処理部４−１〜４−Ｎの個数Ｎを越えた場合（Ｍ＞Ｎ）、受信処理制御部１では、逆拡散コード発生部２−１〜２−Ｎが発生するコードをサブフレーム毎に切り替える制御を行う。これにより、ＨＳ−ＤＰＣＣＨ復調処理部３−１〜３−Ｎは、複数端末から同時に送られてくるＭ個の受信信号に含まれるＣＱＩ信号の中から選択されたＮ個のＣＱＩ信号を復調することになる。
そして、復調後の信号は、ＨＳ−ＤＰＣＣＨ復号処理部４−１〜４−Ｎにより復号され、復号後の信号（ＣＱＩ値）がスケジューラ５に供給される。スケジューラ５では、得られたＣＱＩ値に基づいて、パケットキュー７に蓄積されている各端末へのパケットデータのスケジューリング（ＨＳ−ＤＳＣＨによる送信スケジューリング）を行う。また、スケジューラ５では、上記処理にて受信したＣＱＩ値をメモリ６に書き込む。なお、Ｍ−Ｎ個の端末（上記で選択されなかったＣＱＩ信号を送信した端末）から送られてくるＣＱＩ信号については、上記処理では受信していないため、スケジューラ５では、以前にそれらの端末から受信したＣＱＩ値をメモリ６から読み出し、そのＣＱＩ値に基づいて各端末へのパケットデータのスケジューリングを行う。
また、第２図は、復調するＣＱＩ信号の選択方法を説明するための図である。ここでは、復調するＣＱＩ信号の選択方法として、たとえば、Ｒｏｕｎｄ−Ｒｏｂｉｎ方式を用いる。また、第２図では、一例として、ＨＳ−ＤＰＣＣＨ復調処理部およびＨＳ−ＤＰＣＣＨ復号処理部の個数Ｎを３とし、接続端末数Ｍを４とし、全接続端末から同時にＣＱＩ信号を受信する場合を想定する。なお、Ｍ，Ｎの数値は、これに限定されるものではなく、たとえば、一部の端末のＣＱＩ送信タイミングは同時でなくてもよい。
たとえば、第２図においては、基地局が、サブフレーム＃ｉにて端末＃１，＃３，＃４が送信したＣＱＩ信号を、ＨＳ−ＤＰＣＣＨ復調処理部３−１〜３−３およびＨＳ−ＤＰＣＣＨ復号処理部４−１〜４−３を用いて受信し、その結果をスケジューラ５に通知する。このとき、端末＃２から送られてきたＣＱＩ信号については、受信せず、サブフレーム＃ｉ−ｋ´（ｋ´は従来技術における（１）式を参照）にて端末＃２から受信したＣＱＩ値を使用する。
同様に、サブフレーム＃ｉ＋ｋ´では、基地局が、Ｒｏｕｎｄ−Ｒｏｂｉｎ方式により、端末＃１，＃２，＃４が送信したＣＱＩ信号をＨＳ−ＤＰＣＣＨ復調処理部３−１〜３−３およびＨＳ−ＤＰＣＣＨ復号処理部４−１〜４−３を用いて受信し、その結果をスケジューラ５に通知する。このとき、端末＃３から送られてきたＣＱＩ信号については、受信せず、サブフレーム＃ｉにて端末＃３から受信したＣＱＩ値を使用する。
以上のように、本実施の形態においては、接続端末数が増加し、同時に受信すべきＣＱＩ信号数ＭがＨＳ−ＤＰＣＣＨ復調処理部およびＨＳ−ＤＰＣＣＨ復号処理部の個数Ｎを越えた場合（Ｍ＞Ｎ）、複数端末から同時に送られてくるＭ個のＣＱＩ信号の中から選択されたＮ個のＣＱＩ信号を受信し、その結果をスケジューラに供給することとした。また、残りのＭ−Ｎ個の端末から送られてくるＣＱＩ信号については、以前にそれらの端末から受信したＣＱＩ値をメモリから読み出し、その結果をスケジューラに供給することとした。これにより、ＨＳ−ＤＰＣＣＨ復調処理部およびＨＳ−ＤＰＣＣＨ復号処理部の個数を削減することができるので、すなわち、同時に受信すべきＣＱＩ信号数が増大した場合であっても各処理部が規定数以上となることがないので、回路規模の増大を回避することができ、ひいては、基地局の小型化、省電力化を実現できる。
なお、本実施の形態では、接続端末数が増加し、同時に受信すべきＣＱＩ信号数ＭがＨＳ−ＤＰＣＣＨ復調処理部およびＨＳ−ＤＰＣＣＨ復号処理部の個数Ｎを越えた場合に、上記Ｒｏｕｎｄ−Ｒｏｂｉｎ方式により受信するＣＱＩ信号の切り替え制御を行うこととしているが、同時に受信すべきＣＱＩ信号数が各処理部の個数を越える前に切り替え制御を行うこととしてもよい。これにより、切り替えをスムーズに行うことができるようになる。
また、上記切り替え制御を、接続端末数と各処理部との個数を比較することにより行うこととしてもよい。この場合は、各端末からのＣＱＩ受信タイミングを考慮せずに切り替え制御を行うことができるので、処理が簡単化できる。
また、本実施の形態では、ＣＱＩ信号数に対して上記切り替え制御を適用しているが、同様に、ＨＡＲＱ−ＡＣＫ信号に対して適用することとしてもよい。これにより、ＡＣＫ／ＮＡＣＫ用の復調回路（図示せず）を削減することができる。
実施の形態２．
上記の実施の形態１では、復調するＣＱＩ信号の選択方法として、Ｒｏｕｎｄ−Ｒｏｂｉｎ方式を用いることとしたが、実施の形態２では、たとえば、ＣＱＩ信号に優先順位付けを行うことにより復調するＣＱＩ信号を選択する。
第３図は、本発明にかかる基地局の実施の形態２の構成を示す図であり、受信処理制御部１ａと、スケジューラ５ａと、優先順位判定部１１ａと、を備えている。なお、前述した実施の形態１と同様の構成については、同一の符号を付してその説明を省略する。ここでは、実施の形態１と異なる処理についてのみ説明する。
ここで、上記のように構成される基地局の動作について説明する。たとえば、接続端末数が増加し、同時に受信すべきＣＱＩ信号数ＭがＨＳ−ＤＰＣＣＨ復調処理部およびＨＳ−ＤＰＣＣＨ復号処理部の個数Ｎを越えた場合（Ｍ＞Ｎ）、優先順位判定部１１ａでは、スケジューラ５ａが求めたスケジューリング情報を用いて、各端末との通信における無線通信品質を反映したＣＱＩ信号の受信優先順位を決定する。
そして、受信処理制御部１ａでは、この優先順位に基づいて、逆拡散コード発生部２−１〜２−Ｎが発生するコードを切り替える。すなわち、受信処理制御部１ａでは、複数端末から同時に送られてくるＭ個の受信信号に含まれるＣＱＩ信号の中から優先順位の高い順にＮ個を選択し、さらに、選択されたＣＱＩ信号を復調するようにＨＳ−ＤＰＣＣＨ復調処理部３−１〜３−Ｎを制御する。
復調後の信号は、ＨＳ−ＤＰＣＣＨ復号処理部４−１〜４−Ｎにより復号され、その結果（ＣＱＩ値）がスケジューラ５ａに供給される。スケジューラ５ａでは、得られたＣＱＩ値に基づいて、パケットキュー７に蓄積されている各端末へのパケットデータのスケジューリング（ＨＳ−ＤＳＣＨによる送信スケジューリング）を行う。そして、スケジューラ５ａでは、上記処理にて受信したＣＱＩ値をメモリ６に書き込む。なお、Ｍ−Ｎ個の端末から送られてきたＣＱＩ信号については、上記処理では受信していないため、スケジューラ５ａでは、以前にそれらの端末から受信したＣＱＩ値をメモリ６から読み出し、そのＣＱＩ値に基づいて各端末へのパケットデータのスケジューリングを行う。
以上のように、本実施の形態では、各端末との通信における無線通信品質に基づいてＣＱＩ信号の受信優先順位を決定し、この優先順位情報に基づいて受信するＣＱＩ信号を決定する。これにより、スループットへの影響を最小限にしつつ、各処理回路の個数を削減できるので、基地局の回路規模を削減することができ、ひいては、基地局の小型化、省電力化を実現できる。
実施の形態３．
つづいて、実施の形態３では、各端末との通信における無線通信品質に基づいた、ＣＱＩ信号の受信優先順位の決定方法について説明する。なお、基地局の構成については、前述した実施の形態２の第３図と同様である。
第４図は、ＣＱＩ信号の受信優先順位の決定方法を示す実施の形態３のフローチャートである。たとえば、本実施の形態では、優先順位判定部１１ａが、次サブフレームにてｄｏｗｎｌｉｎｋパケット送信を行うべくスケジューリングされている端末から送られてくるＣＱＩ信号の受信優先順位を上げる処理を行う。この処理を、第４図を用いて詳細に説明する。
まず、優先順位判定部１１ａでは、初期化として、ＣＱＩ信号の優先順位を示す変数Ｐｒｉ（ｉ）を０クリアする（ステップＳ１）。すなわち、ここでは、全接続端末から送られてくるＣＱＩ信号の優先順位をクリアする。なお、ｉ＝１，…，Ｍ（ＣＱＩ信号数Ｍを表す）とし、端末＃１〜端末＃Ｍに対応する。
つぎに、優先順位判定部１１ａでは、同時に受信すべきＣＱＩ信号数ＭとＨＳ−ＤＰＣＣＨ復調処理部３−１〜３−ＮおよびＨＳ−ＤＰＣＣＨ復号処理部４−１〜４−Ｎの個数Ｎとを比較し、Ｍ＞Ｎの場合に（ステップＳ２，Ｙｅｓ）、ｉ＝１とし（ステップＳ３）、端末＃１が次サブフレームにてパケット送信を行うべくスケジューリングされている端末かどうかを調査する（ステップＳ４）。すなわち、ここでは、スケジューラ５ａにより、次にパケット送信を行うべくスケジューリングされているかどうかを調査する。なお、ステップＳ２の処理において、Ｍ≦Ｎの場合は（ステップＳ２，Ｎｏ）、本実施の形態の優先順位決定処理を中止する。
上記調査の結果、端末＃１が次サブフレームにてパケット送信を行うべくスケジューリングされている端末の場合（ステップＳ４，Ｙｅｓ）、優先順位判定部１１ａでは、端末＃１が送信するＣＱＩ信号の優先順位Ｐｒｉ（ｉ）をインクリメントする（ステップＳ５）。なお、ステップＳ４の処理において、端末＃１が次サブフレームにてパケット送信を行うべくスケジューリングされていない端末の場合は（ステップＳ４，Ｎｏ）、現在のＰｒｉ（ｉ）を保持する。
その後、優先順位判定部１１ａでは、ｉ＝Ｍかどうかを確認する（ステップＳ６）。そして、現在は、ｉ＝１の場合について処理を行っているので、優先順位判定部１１ａでは、その後、すべての端末を対象にステップＳ４〜Ｓ６を繰り返し実行し（ステップＳ８）、ｉ＝Ｍとなった段階で、端末＃１〜＃Ｍが送信するＣＱＩ信号の優先順位であるＰｒｉ（ｉ）を比較し、値の大きい順にＮ個のＣＱＩ信号を選択し、受信処理制御部１ａが、選択されたＣＱＩ信号を受信するように、ＨＳ−ＤＰＣＣＨ復調処理部３−１〜３−Ｎを制御する（ステップＳ７）。
以上のように、本実施の形態においては、無線通信品質に基づいてＣＱＩ信号の受信優先順位を決定し、この優先順位情報に基づいて受信するＣＱＩ信号を決定する。これにより、スループットへの影響を最小限にしつつ、各処理回路の個数を削減することができる。
なお、本実施の形態では、優先順位Ｐｒｉ（ｉ）の大きい順にＮ個を選択し、選択された端末から送られてくるＣＱＩ信号を受信するように制御しているが、これに限らず、たとえば、他に選択するものがなければ、Ｐｒｉ（ｉ）＝０（優先順位が最低）である端末から送られてくるＣＱＩ信号を受信するように制御することとしてもよい。これにより、Ｎ個ずつ存在する各処理部を最大限に利用でき、スループットの劣化を防ぐことができる。
実施の形態４．
つづいて、上記とは異なる、ＣＱＩ信号の受信優先順位の決定方法について説明する。なお、基地局の構成については、前述した実施の形態２の第３図と同様である。
上記実施の形態３では、次サブフレームにてｄｏｗｎｌｉｎｋパケット送信を行うべくスケジューリングされている端末から送られてくるＣＱＩ信号の受信優先順位を上げるように制御していたが、本実施の形態では、たとえば、第５図に示すように、同一サブフレームにてＨＡＲＱ−ＡＣＫ信号とＣＱＩ信号とを送信した端末からのＣＱＩ信号の受信優先順位を上げるように制御する。
第６図は、ＣＱＩ信号の受信優先順位の決定方法を示す実施の形態４のフローチャートである。ここでは、前述した実施の形態３と異なる処理についてのみ説明する。
たとえば、優先順位判定部１１ａでは、同時に受信すべきＣＱＩ信号数ＭとＨＳ−ＤＰＣＣＨ復調処理部３−１〜３−ＮおよびＨＳ−ＤＰＣＣＨ復号処理部４−１〜４−Ｎの個数Ｎとを比較し、Ｍ＞Ｎの場合に（ステップＳ２，Ｙｅｓ、ステップＳ３）、同一サブフレームにて端末＃ｉからＨＡＲＱ−ＡＣＫを受信したかどうかを調査する（ステップＳ１１）。
上記調査の結果、同一サブフレームにて端末＃ｉからＨＡＲＱ−ＡＣＫを受信している場合（ステップＳ１１，Ｙｅｓ）、優先順位判定部１１ａでは、対応する端末が送信するＣＱＩ信号の優先順位Ｐｒｉ（ｉ）をインクリメントする（ステップＳ５）。なお、ステップＳ１１の処理において、同一サブフレームにて端末＃１からＨＡＲＱ−ＡＣＫを受信していない場合は（ステップＳ１１，Ｎｏ）、現在のＰｒｉ（ｉ）を保持する。
以上のように、本実施の形態においては、たとえば、ＨＡＲＱ−ＡＣＫ信号がＮＡＣＫだった場合、再送パケットの送信時に、最新の無線通信品質に基づいて送信電力や伝送速度等を決定する。これにより、再送時における端末での受信精度を向上させることがでる。一方、受信したＨＡＲＱ−ＡＣＫ信号がＡＣＫだった場合は、新規パケットの送信時に、最新の無線通信品質に基づいて送信電力や伝送速度等を決定できる。これにより、新規パケット送信時における端末での受信精度を向上させることができる。
なお、本実施の形態では、同一サブフレームにてＨＡＲＱ−ＡＣＫ信号とＣＱＩ信号とを送信した端末からのＣＱＩ信号の受信優先順位を上げるように制御しているが、これに限らず、ＨＡＲＱ−ＡＣＫ信号の受信タイミングであれば、そのＨＡＲＱ−ＡＣＫ信号の受信にかかわらず、対応する端末からのＣＱＩ信号の受信優先順位を上げることとしてもよい。これにより、ｄｏｗｎｌｉｎｋパケット送信が端末に到達せず端末が応答しない場合や、端末がｄｏｗｎｌｉｎｋパケットを受信しＨＡＲＱ−ＡＣＫ信号の応答を行ったが、基地局に到達しなかった場合、であっても、その端末からのＣＱＩ信号の受信優先順位を上げることができる。また、これらのような場合は、無線通信品質が変動していると考えられるので、その端末からのＣＱＩ信号の受信優先順位を上げることは特に重要となる。
実施の形態５．
つづいて、上記実施の形態３および４とは異なる、ＣＱＩ信号の受信優先順位の決定方法について説明する。なお、基地局の構成については、前述した実施の形態２の第３図と同様である。
本実施の形態では、第７図に示すように、特定の端末から、前回のＣＱＩ受信以降にｎ回以上にわたってＨＡＲＱ−ＡＣＫ信号：ＮＡＣＫを受信した場合、その端末から送信されるＣＱＩ信号の受信優先順位を上げるように制御する。なお、上記ｎは１以上の任意の整数とする。
第８図は、ＣＱＩ信号の受信優先順位の決定方法を示す実施の形態５のフローチャートである。ここでは、前述した実施の形態３または４と異なる処理についてのみ説明する。
たとえば、優先順位判定部１１ａでは、同時に受信すべきＣＱＩ信号数ＭとＨＳ−ＤＰＣＣＨ復調処理部３−１〜３−ＮおよびＨＳ−ＤＰＣＣＨ復号処理部４−１〜４−Ｎの個数Ｎとを比較し、Ｍ＞Ｎの場合に（ステップＳ２，Ｙｅｓ、ステップＳ３）、前回のＣＱＩ受信以降に端末＃ｉからｎ回以上にわたってＮＡＣＫを受信したかどうかを調査する（ステップＳ２１）。
上記調査の結果、ｎ回以上にわたってＮＡＣＫを受信していた場合（ステップＳ２１，Ｙｅｓ）、優先順位判定部１１ａでは、対応する端末が送信するＣＱＩ信号の優先順位Ｐｒｉ（ｉ）をインクリメントする（ステップ３５）。なお、ステップＳ２１の処理において、ｎ回以上にわたってＮＡＣＫを受信していなかった場合は（ステップＳ２１，Ｎｏ）、現在のＰｒｉ（ｉ）を保持する。
以上のように、本実施の形態においては、たとえば、端末側が無線品質変動によりパケットを正しく受信できず、ｎ回以上にわたってＮＡＣＫを返送した場合に、それらのＮＡＣＫを返送した端末から送られてくるＣＱＩ信号の受信優先順位を上げるように制御する。これにより、無線品質変動に基づいた送信電力や伝送速度等の設定が可能となり、結果として、端末での受信精度を向上させることができる。
なお、本実施の形態では、特定の端末から、前回のＣＱＩ受信以降にｎ回以上にわたってＮＡＣＫを受信した場合に、その端末から送られてくるＣＱＩ信号の受信優先順位を上げるように制御しているが、これに限らず、たとえば、逆に、前回のＣＱＩ受信以降にｎ回以上にわたってＡＣＫを受信した場合に、その端末から送られてくるＣＱＩ信号の受信優先順位を下げるように制御してもよい。
実施の形態６．
第９図は、本発明にかかる基地局の実施の形態６の構成を示す図である。第３図では、優先順位判定部１１ａがスケジューラ５ａからＣＱＩ値を得ているが、第９図では、優先順位判定部１１ｂがメモリ６からＣＱＩ値を得ることになる。なお、前述した第１図または第３図と同様の構成については、同一の符号を付してその説明を省略する。
つづいて、上記実施の形態３、４および５とは異なる、ＣＱＩ信号の受信優先順位の決定方法について説明する。本実施の形態では、各端末から送られてくるＣＱＩ信号の履歴を残しておき、ＣＱＩ値の変動が大きい端末から送られてくるＣＱＩ信号の受信優先順位を上げるような制御を行う。
第１０図は、ＣＱＩ信号の受信優先順位の決定方法を示す実施の形態６のフローチャートである。ここでは、前述した実施の形態３、４または５と異なる処理についてのみ説明する。
たとえば、優先順位判定部１１ｂでは、同時に受信すべきＣＱＩ信号数ＭとＨＳ−ＤＰＣＣＨ復調処理部３−１〜３−ＮおよびＨＳ−ＤＰＣＣＨ復号処理部４−１〜４−Ｎの個数Ｎとを比較し、Ｍ＞Ｎの場合に（ステップＳ２，Ｙｅｓ、ステップＳ３）、メモリ６に保存されている前回受信分のＣＱＩ値（ＣＱＩ（ｉ，−１））と前々回受信分のＣＱＩ値（ＣＱＩ（ｉ，−２））との差分を計算し、その計算結果を優先順位Ｐｒｉ（ｉ）とする（ステップＳ３１）。
一般的には、前回受信分のＣＱＩ値と前々回受信分のＣＱＩ値が大きく異なる場合に無線通信品質が大きく変動していると考えられ、さらに、今回受信するＣＱＩ信号についても無線通信品質が変動している可能性が高いと考えられる。したがって、本実施の形態においては、前回受信分のＣＱＩ値と前々回受信分のＣＱＩ値との差分が大きいと判断された端末が送信するＣＱＩ信号を優先的に受信する。これにより、最新の無線通信品質に基づいて送信電力や伝送速度等を決定できるので、端末での受信精度を向上させることができる。
なお、本実施の形態では、前回受信分のＣＱＩ値と前々回受信分のＣＱＩ値に基づいて無線通信品質の変動量を判断しているが、これに限らず、さらに過去のＣＱＩ値も含めて変動量を判断することとしてもよい。
実施の形態７．
第１１図は、本発明にかかる基地局の実施の形態７の構成を示す図であり、ＳＩＲ（Ｓｉｇｎａｌ  ｔｏ  Ｉｎｔｅｒｆｅｒｅｎｃｅ  Ｒａｔｉｏ）計算部２１ｃ−１〜２１ｃ−Ｍと、メモリ２２ｃ−１〜２２ｃ−Ｍと、優先順位判定部１１ｃと、を備えている。なお、前述した第１図、第３図または第９図と同様の構成については、同一の符号を付してその説明を省略する。
つづいて、上記実施の形３〜６とは異なる、ＣＱＩ信号の受信優先順位の決定方法について説明する。本実施の形態では、ＳＩＲ計算部２１ｃ−１〜２１ｃ−Ｍが、スロット毎またはフレーム毎に計算するＳＩＲ値の履歴を、メモリ２２ｃ−１〜２２ｃ−Ｍに保存し、ＳＩＲ値の変動が大きい端末から送られてくるＣＱＩ信号の受信優先順位を上げるように制御する。
第１２図は、ＣＱＩ信号の受信優先順位の決定方法を示す実施の形態７のフローチャートである。なお、本実施の形態では、ＳＩＲ計算部２１ｃ−１〜２１ｃ−Ｍが、既知の方法でスロットへ毎またはフレーム毎にＳＩＲ値を計算し、その計算結果の履歴をメモリ２２ｃ−１〜２２ｃ−Ｍに保存しておくことを前提とする。ここでは、前述した実施の形態３〜６と異なる処理についてのみ説明する。
たとえば、優先順位判定部１１ｃでは、同時に受信すべきＣＱＩ信号数ＭとＨＳ−ＤＰＣＣＨ復調処理部３−１〜３−ＮおよびＨＳ−ＤＰＣＣＨ復号処理部４−１〜４−Ｎの個数Ｎとを比較し、Ｍ＞Ｎの場合に（ステップＳ２，Ｙｅｓ、ステップＳ３）、メモリ２２ｃ−１〜２２ｃ−Ｍに保存されている前回計算されたＳＩＲ値（ＳＩＲ（ｉ，−１））と前々回に計算されたＳＩＲ値（ＳＩＲ（ｉ，−２））との差分を計算し、その計算結果を優先順位Ｐｒｉ（ｉ）とする（ステップＳ４１）。
一般的には、前回計算されたＳＩＲ値と前々回に計算されたＳＩＲ値が大きく異なる場合に無線通信品質が大きく変動していると考えられ、さらに、上記のような場合に今回受信するＣＱＩ信号についても無線通信品質が変動している可能性が高いと考えられる。したがって、本実施の形態においては、前回計算されたＳＩＲ値と前々回に計算されたＳＩＲ値との差分が大きいと判断された端末が送信するＣＱＩ信号を優先的に受信する。これにより、最新の無線通信品質に基づいて送信電力や伝送速度等を決定できるので、端末での受信精度を向上させることができる。
なお、本実施の形態では、前回計算されたＳＩＲ値と前々回に計算されたＳＩＲ値に基づいて無線通信品質の変動量を判断しているが、これに限らず、さらに過去に計算されたＳＩＲ値も含めて変動量を判断することとしてもよい。
実施の形態８．
つづいて、上記実施の形態３〜７とは異なる、ＣＱＩ信号の受信優先順位の決定方法について説明する。なお、基地局の構成については、前述した実施の形態２の第３図と同様である。
本実施の形態では、第１３図に示すように、前回ＣＱＩ送信が行われたにもかかわらず、受信するＣＱＩ信号として選択されなかった端末からのＣＱＩ信号の受信優先順位を上げるように制御する。
第１４図は、ＣＱＩ信号の受信優先順位の決定方法を示す実施の形態８のフローチャートである。ここでは、前述した実施の形態３〜７と異なる処理についてのみ説明する。
たとえば、優先順位判定部１１ａでは、同時に受信すべきＣＱＩ信号数ＭとＨＳ−ＤＰＣＣＨ復調処理部３−１〜３−ＮおよびＨＳ−ＤＰＣＣＨ復号処理部４−１〜４−Ｎの個数Ｎとを比較し、Ｍ＞Ｎの場合に（ステップＳ２，Ｙｅｓ、ステップＳ３）、前回のＣＱＩ受信時において端末＃ｉが送信するＣＱＩ信号を受信したかどうかを調査する（ステップＳ５１）。
上記調査の結果、前回のＣＱＩ信号を受信していなかった場合（ステップＳ５１，Ｎｏ）、優先順位判定部１１ａでは、対応する端末が送信するＣＱＩ信号の優先順位Ｐｒｉ（ｉ）をインクリメントする（ステップＳ５）。なお、ステップＳ５１の処理において、前回のＣＱＩ信号を受信していた場合は（ステップＳ５１，Ｙｅｓ）、現在のＰｒｉ（ｉ）を保持する。
以上のように、本実施の形態においては、前回ＣＱＩ送信が行われたにもかかわらず、受信するＣＱＩ信号として選択されなかった端末からのＣＱＩ信号の受信優先順位を上げるように制御する。これにより、前述した実施の形態３と同様の効果が得られるとともに、さらに、特定の端末が送信するＣＱＩ信号を連続して受信できない事態を防ぐことができる。
なお、本実施の形態では、説明の便宜上、第３図を用いてＣＱＩ信号の受信優先順位の決定処理を説明したが、これに限らず、前述の第９図の優先順位判定部１１ｂおよび第１１図の優先順位判定部１１ｃにて上記処理を実行することとしてもよい。
実施の形態９．
第１５図は、本発明にかかる基地局の実施の形態９の構成を示す図である。たとえば、第３図では、優先順位判定部１１ａがスケジューラ５ａに接続されているが、第１５図では、優先順位判定部１１ｄがパケットキュー７に接続されている。なお、前述した第１図、第３図、第９図または第１１図と同様の構成については、同一の符号を付してその説明を省略する。
つづいて、上記実施の形態３〜８とは異なる、ＣＱＩ信号の受信優先順位の決定方法について説明する。本実施の形態では、パケットキュー７内に送信待ちパケットの量が多い宛先端末から送られてくるＣＱＩ信号の受信優先順位を上げるような制御を行う。
第１６図は、ＣＱＩ信号の受信優先順位の決定方法を示す実施の形態９のフローチャートである。ここでは、前述した実施の形態３〜８と異なる処理についてのみ説明する。
たとえば、優先順位判定部１１ｄでは、同時に受信すべきＣＱＩ信号数ＭとＨＳ−ＤＰＣＣＨ復調処理部３−１〜３−ＮおよびＨＳ−ＤＰＣＣＨ復号処理部４−１〜４−Ｎの個数Ｎとを比較し、Ｍ＞Ｎの場合に（ステップＳ２，Ｙｅｓ、ステップＳ３）、パケットキュー７に格納されている送信待ちパケットの宛先を調査する（ステップＳ６１）。
そして、優先順位判定部１１ｄでは、上記調査結果として得られる各端末＃ｉ宛の送信待ちパケットの個数を優先順位Ｐｒｉ（ｉ）とする（ステップＳ６２）。
以上のように、本実施の形態においては、送信待ちパケットの量が多い宛先端末から送られてくるＣＱＩ信号の受信優先順位を上げることにより、同一端末宛に多く溜まっているパケットの送信電力や伝送速度等を優先的に無線通信品質に適応させることとした。これにより、スループットへの影響を最小限にしつつ、さらに、パケットキューのオーバフローを抑えながら、各処理回路の個数を削減することができる。
なお、上記実施の形態３〜９においては、各優先順位判定部（１１ａ〜１１ｄ）の処理（ＣＱＩ信号の受信優先順位の決定方法）を個別に説明したが、これらの処理（実施の形態３〜９の処理）を組み合わせて優先順位を決定することとしてもよい。たとえば、実施の形態５で説明した「特定の端末から、前回のＣＱＩ受信以降にｎ回以上にわたってＨＡＲＱ−ＡＣＫ信号：ＮＡＣＫを受信した場合に、その端末から送信されるＣＱＩ信号の受信優先順位を上げる制御」、および実施の形態６で説明した「ＣＱＩ変動が大きい端末から送られてくるＣＱＩ信号の受信優先順位を上げる制御」を組み合わせて、優先順位に反映することとしてもよい。これにより、受信するＣＱＩの選択最適性がより高まり、さらなるスループット劣化防止の効果が得られる。
実施の形態１０．
前述した実施の形態１〜９では、同時に受信すべきＣＱＩ信号数Ｍが復調処理部および復号処理部の個数Ｎを越えた場合に、複数端末から同時に送信されるＭ個のＣＱＩ信号の中からＮ個を選択受信し、その結果をスケジューラに供給するように制御し、一方で、残りのＭ−Ｎ個の端末から送信されるＣＱＩ信号については、以前に受信したＣＱＩ値を使用するように制御し、その結果として、各処理部の個数を削減していた。
本実施の形態では、１個のＨＳ−ＤＰＣＣＨ復調処理部が、複数端末から送信されたＣＱＩ信号を時分割に復調することにより、ＨＳ−ＤＰＣＣＨ復調処理部の個数をさらに削減する。なお、複数端末から同時に送信されるＭ個のＣＱＩ信号の中からＮ個を選択する処理については、前述した実施の形態１〜９の方法を用いることとする。
第１７図は、実施の形態１０の概念を示す図である。たとえば、１個のＨＳ−ＤＰＣＣＨ復調処理部が、前半は端末＃１から送られてくるＣＱＩ信号を、後半は端末＃２から送られてくるＣＱＩ信号を、それぞれ復調する。そして、各ＨＳ−ＤＰＣＣＨ復号処理部が、復調処理を行わなかったシンボル（端末＃１からのＣＱＩ信号の後半および端末＃２からのＣＱＩ信号の前半）に０を挿入し、それぞれ復号処理を行う。これにより、２個の端末から送られてくるＣＱＩ信号を１個のＨＳ−ＤＰＣＣＨ復調処理部にて処理可能となる。
第１８図は、本発明にかかる基地局の実施の形態１０の構成を示す図であり、受信処理制御部１ｅと、逆拡散コード発生部２−１〜２−Ｌ（Ｌ＝Ｎ／２）と、ＨＳ−ＤＰＣＣＨ復調処理部３ｅ−１〜３ｅ−Ｌ（Ｌ＝Ｎ／２）と、ＨＳ−ＤＰＣＣＨ復号処理部４ｅ−１〜４ｅ−Ｌ（Ｎ＝Ｎ／２）と、０シンボル挿入部３１ｅと、を備えている。なお、前述した第１図、第３図、第９図、第１１図または第１５図と同様の構成については、同一の符号を付してその説明を省略する。
ここで、上記のように構成される基地局の動作について説明する。たとえば、接続端末数が増加し、同時に受信すべきＣＱＩ信号数Ｍが、ＨＳ−ＤＰＣＣＨ復号処理部４ｅ−１〜４ｅ−Ｎの個数Ｎを越えた場合（Ｍ＞Ｎ）、受信処理制御部１ｅでは、逆拡散コード発生部２−１〜２−Ｌが発生するコードをサブフレーム毎に切り替える制御を行う（実施の形態１〜９の処理参照）。さらに、受信処理制御部１ｅでは、端末＃ｉおよび端末＃ｊから送られてくるＣＱＩ信号をそれぞれ２スロットに分け、第１スロットについては端末＃ｉからのＣＱＩ信号を、第２スロットについては端末＃ｊからのＣＱＩ信号を、それぞれ復調するように、ＨＳ−ＤＰＣＣＨ復調処理部３ｅ−１〜３ｅ−Ｌ（Ｌ＝Ｎ／２）を制御する。
復調後の信号は、それぞれＨＳ−ＤＰＣＣＨ復号処理部４ｅ−１〜４ｅ−Ｌにより復号されるが、たとえば、端末＃ｉが送信するＣＱＩ信号の復調出力は第２スロットの信号が欠落しているので、第１スロット復調が完了した時点で、対応するＨＳ−ＤＰＣＣＨ復号処理部では、０シンボル挿入部３１ｅにより第２スロットシンボルとして０シンボルが追加された状態の信号を、復号する。同様に、端末＃ｊが送信するＣＱＩ信号の復調出力は第１スロットの信号が欠落しているので、第２スロット復調が完了した時点で、対応するＨＳ−ＤＰＣＣＨ復号処理部では、０シンボル挿入部３１ｅにより第１スロットシンボルとして０シンボルが追加された状態の信号を、復号する。すなわち、ＨＳ−ＤＰＣＣＨ復号処理部４ｅ−１〜４ｅ−Ｌは、それぞれ２個の端末からのＣＱＩ信号を時分割処理により復号する。
以上のように、本実施の形態では、たとえば、１個のＨＳ−ＤＰＣＣＨ復調処理部が、２個の端末から送られてくるＣＱＩ信号を時分割に復調することとした。これにより、ＨＳ−ＤＰＣＣＨ復調処理部の個数削減が可能となり、基地局の回路規模を削減することができ、ひいては、基地局の小型化、省電力化を実現できる。
なお、本実施の形態では、時分割方法として、第１スロットと第２スロットで別の端末からのＣＱＩ信号を復調するように制御しているが、これに限らず、スロット内の任意のシンボルで切り替えるように制御することとしてもよい。これにより、復号処理における誤り訂正能力が改善される場合がある。
また、本実施の形態では、一例として、１個のＨＳ−ＤＰＣＣＨ復調処理部が２個の端末から送られてくるＣＱＩ信号を時分割に復調することとしたが、これに限らず、１個のＨＳ−ＤＰＣＣＨ復調処理部が、３個以上から送られてくるＣＱＩ信号を時分割に復調することとしてもよい。これにより、さらにＨＳ−ＤＰＣＣＨ復調処理部の個数を削減できる。
また、本実施の形態では、接続端末数が増加し、同時に受信すべきＣＱＩ信号数ＭがＨＳ−ＤＰＣＣＨ復号処理部の個数Ｎを越えた場合に、受信するＣＱＩ信号の切り替え制御を行うこととしているが、同時に受信すべきＣＱＩ信号数がＨＳ−ＤＰＣＣＨ復号処理部の個数を越える前に切り替え制御を行うこととしてもよい。これにより、切り替えをスムーズに行うことができるようになる。
また、上記切り替え制御を、接続端末数とＨＳ−ＤＰＣＣＨ復号処理部との個数を比較することにより行うこととしてもよい。この場合は、各端末からのＣＱＩ受信タイミングを考慮せずに切り替え制御を行うことができるので、処理が簡単化できる。
また、本実施の形態では、ＣＱＩ信号数に対して上記切り替え制御を適用しているが、同様に、ＨＡＲＱ−ＡＣＫ信号に対して適用することとしてもよい。これにより、ＡＣＫ／ＮＡＣＫ用の復調回路（図示せず）を削減することができる。
実施の形態１１．
前述の実施の形態１０では、１個のＨＳ−ＤＰＣＣＨ復調処理部が、複数端末から送られてくるＣＱＩ信号を時分割に復調するように制御していたが、本実施の形態では、さらに、復号結果として得られるＣＱＩ値が以前のＣＱＩ値と大きく異なる場合に、最新のＣＱＩ値を廃棄し、スケジューラが以前のＣＱＩ値を使用する。
第１９図は、本発明にかかる基地局の実施の形態１１の構成を示す図であり、比較判定部４１ｆ−１〜４１ｆ−Ｌと、メモリ４２ｆ−１〜４２ｆ−Ｌ、を備えている。なお、前述した第１８図と同様の構成については、同一の符号を付してその説明を省略する。ここでは、実施の形態１と異なる処理についてのみ説明する。
ここで、上記のように構成される基地局の動作について説明する。なお、本実施の形態では、メモリ４２ｆ−１〜４２ｆ−Ｌに以前のＣＱＩ値が蓄積されていることを前提する。
たとえば、比較判定部４１ｆ−１〜４１ｆ−Ｌでは、新たに得られたＣＱＩ値（ＨＳ−ＤＰＣＣＨ復号処理部４ｅ−１〜４ｅ−Ｌの出力）と対応するメモリ２ｆ−１〜４２ｆ−Ｌに蓄積された前回のＣＱＩ値とを比較し、その差分が規定値ｋを超える場合、新たなＣＱＩ値を廃棄し、スケジューラ５にはメモリに蓄積されたＣＱＩ値を送出する（ｋは予め規定された１以上の整数）。
一般的に、前述の実施の形態１０の処理にて得られるＣＱＩ値は、前述の実施の形態１〜９の処理にて得られるＣＱＩ値よりも通信路誤りに対する耐性が弱いため、たとえば、前回のＣＱＩ値と大きく異なる場合、復号誤りを起こしている可能性が高いと考えられる。したがって、本実施の形態では、新たに得られたＣＱＩ値が前回のＣＱＩ値と大きく異なる場合、新たなＣＱＩ値を廃棄することとした。これにより、回路規模削減の代償として起こりえる特性劣化を防ぐことができる。
なお、本実施の形態では、比較するＣＱＩ値を前回のＣＱＩ値としているが、これに限らず、さらに過去のＣＱＩ値も含めて比較することとしてもよい。
実施の形態１２．
本実施の形態では、通信状態によって、前述の実施の形態１に記載した処理と前述の実施の形態１０に記載した処理とを切り替える。具体的には、受信処理制御部が、たとえば、通信状態が良好な場合は実施の形態１０の処理を、通信状態が劣悪な場合は実施の形態１の処理を、選択するように制御する。これにより、受信ＣＱＩの特性劣化を防ぐ。
第２０図は、本発明にかかる基地局の実施の形態１２の構成を示す図であり、通信状態に応じて実施の形態１と実施の形態１０の処理とを切り替える受信処理制御部１ｇと、実施の形態１と実施の形態１０の両方のＨＳ−ＤＰＣＣＨ復調処理部の機能を備えたＨＳ−ＤＰＣＣＨ復調処理部３ｇ−１〜３ｇ−Ｎと、実施の形態１と実施の形態１０の両方のＨＳ−ＤＰＣＣＨ復号処理部の機能を備えたＨＳ−ＤＰＣＣＨ復号処理部４ｇ−１〜４ｇ−Ｎと、しきい値判定部５１ｇ−１〜５１ｇ−Ｎと、復調方式選択部５２ｇと、を備えている。なお、前述した第１図、第１１図、第１８図と同様の構成については、同一の符号を付してその説明を省略する。ここでは、実施の形態１および１０と異なる処理についてのみ説明する。
ここで、上記のように構成される基地局の動作について説明する。なお、本実施の形態では、上記通信状態を判断する基準としてＳＩＲの計算結果を想定し、たとえば、ＳＩＲ計算部２１ｃ−１〜２１ｃ−Ｎが、既知の方法でスロット毎またはフレーム毎にＳＩＲ値を計算することを前提とする。
しきい値判定部５１ｇ−１〜５１ｇ−Ｎでは、ＳＩＲ計算部２１ｃ−１〜２１ｃ−Ｎが計算する各ＳＩＲ値を、予め規定された対応するしきい値と比較する。そして、復調方式選択部５２ｇでは、その比較結果に基づいて、たとえば、ｍ個以上のＳＩＲ値がしきい値よりも大きい場合、実施の形態１０の処理を選択するように受信処理制御部１ｇに対して指示する。一方で、上記比較結果が、しきい値よりも大きいＳＩＲ値がｍ個に達しない場合は、実施の形態１の処理を選択するように受信処理制御部１ｇに対して指示する（上記ｍは予め規定された１以上の整数）。
以上のように、本実施の形態においては、たとえば、通信状態を示すＳＩＲ値が良好な場合は実施の形態１０の処理を、ＳＩＲ値が劣悪な場合は実施の形態１の処理を、選択するように制御する。これにより、回路規模削減を行いつつ、実施の形態１および実施の形態１０と同様の効果を得ることができる。
なお、本実施の形態では、全ＣＱＩ信号に対して同時に実施の形態１の復調処理または実施の形態１０の復調処理を実施しているが、これに限らず、たとえば、ＣＱＩ信号単位にいずれかの復調処理を実施することとしてもよい。
実施の形態１３．
前述の実施の形態１２では、ＳＩＲ値が良好な場合は実施の形態１０の処理を、ＳＩＲ値が劣悪な場合は実施の形態１の処理を、選択するように制御していたが、本実施の形態では、前記通信状態を判断する基準として、たとえば、Ａ−ＤＰＣＨのＣＲＣ（Ｃｙｃｌｉｃ  Ｒｅｄｕｎｄａｎｃｙ  Ｃｈｅｃｋ）誤り率を使用する。すなわち、受信ブロック誤りを判定することにより、受信ＣＱＩの特性劣化を防ぐ。
第２１図は、本発明にかかる基地局の実施の形態１３の構成を示す図であり、Ａ−ＤＰＣＨ復調処理部６１ｈ−１〜６１ｈ−Ｎと、Ａ−ＤＰＣＨ復号処理部６２ｈ−１〜６２ｈ−Ｎと、ＣＲＣ判定部６３ｈ−１〜６３ｈ−Ｎと、復調方式選択部５２ｈと、を備えている。なお、前述した第２０図と同様の構成については、同一の符号を付してその説明を省略する。ここでは、実施の形態１２と異なる処理についてのみ説明する。
ここで、上記のように構成される基地局の動作について説明する。なお、本実施の形態では、上記通信状態を判断する基準としてＡ−ＤＰＣＨのＣＲＣ誤り率を想定し、たとえば、Ａ−ＤＰＣＨ復調処理部６１ｈ−１〜６１ｈ−ＮとＡ−ＤＰＣＨ復号処理部６２ｈ−１〜６２ｈ−Ｎが、既知の方法でＡ−ＤＰＣＨ信号を復調および復号することを前提とする。
ＣＲＣ判定部６３ｈ−１〜６３ｈ−Ｎでは、復号後のＡ−ＤＰＣＨ信号のＣＲＣ判定を行い、ブロック誤りの有無を判定する。そして、復調方式選択部５２ｈでは、判定結果に基づいて、たとえば、ｍ個以上のＣＲＣ判定部でブロック誤りがある場合、実施の形態１の処理を選択するように受信処理制御部１ｇに対して指示する。一方、ブロック誤りのあるＣＲＣ判定部がｍ個に達しない場合は、実施の形態１０の処理を選択するように受信処理制御部１ｇに対して指示する（上記ｍは予め規定された１以上の整数）。
以上のように、本実施の形態においては、Ａ−ＤＰＣＨのＣＲＣ判定が劣悪なチャネルが多い場合は実施の形態１の処理を、Ａ−ＤＰＣＨのＣＲＣ判定が良好なチャネルが多い場合は実施の形態１０の処理を、選択するように制御する。これにより、回路規模削減を行いつつ、実施の形態１および実施の形態１０と同様の効果を得ることができる。
なお、本実施の形態では、全ＣＱＩ信号に対して同時に実施の形態１の復調処理または実施の形態１０の復調処理を実施しているが、これに限らず、たとえば、ＣＱＩ信号単位にいずれかの復調処理を実施することとしてもよい。たとえば、Ａ−ＤＰＣＨにおいてＣＲＣブロック誤りのあるチャネルについては実施の形態１の処理を選択し、その他のチャネルについては実施の形態１０の処理を選択する。
実施の形態１４．
本実施の形態では、実施の形態１２および１３とは異なる復調方式選択処理として、たとえば、新たに得られたＣＱＩ値と以前のＣＱＩ値との差分を選択基準として使用する。
第２２図は、本発明にかかる基地局の実施の形態１４の構成を示す図であり、カウンタ７１ｉ−１〜７１ｉ−Ｎと、復調方式選択部５２ｉと、を備えている。なお、前述した第１９図、第２０図または第２１図と同様の構成については、同一の符号を付してその説明を省略する。ここでは、実施の形態１２または１３と異なる処理についてのみ説明する。
ここで、上記のように構成される基地局の動作について説明する。なお、初期状態においては、復調方式選択部５２ｉは実施の形態１０の処理を選択する。
たとえば、カウンタ７１ｉ−１〜７１ｉ−Ｎでは、対応する比較判定部４１ｆ−１〜４１ｆ−Ｎによる比較結果に基づいて、その差分がｋ１以上の場合、カウントアップする。
復調方式選択部５２ｉでは、カウンタ値がｎ１以上の場合に、実施の形態１の復調処理および復号処理を行うように受信処理制御部１ｇに対して指示する。そして、カウンタをリセットする。
一方、復調方式選択部５２ｉが実施の形態１の処理を選択するように指示している場合、カウンタ７１ｉ−１〜７１ｉ−Ｎでは、対応する比較判定部４１ｆ−１〜４１ｆ−Ｎによる比較結果に基づいて、その差分がｋ２以下の場合、カウントアップする。
復調方式選択部５２ｉでは、カウンタ値がｎ２以上の場合に、実施の形態１０の復調処理および復号処理を行うように受信処理制御部１ｇに対して指示する。そして、カウンタをリセットする（ｋ１，ｋ２，ｎ１，ｎ２は予め規定された１以上の整数）。
以上のように、本実施の形態においては、実施の形態１０の処理では復号誤りが多くなるような劣悪な通信環境では実施の形態１の処理を選択するように制御し、その他の場合は実施の形態１０の処理を選択するよう制御する。これにより、回路規模削減を行いつつ、実施の形態１および実施の形態１０と同様の効果を得ることができる。
なお、本実施の形態では、新たに得られたＣＱＩ値と以前のＣＱＩ値の比較結果によってカウンタをカウントアップするようにしているが、さらに、カウントダウンする機能を追加することとしてもよい。たとえば、実施の形態１０の処理を選択している状態で、新たに得られたＣＱＩ値と以前のＣＱＩ値との差分がｋ１´以下の場合に、カウントダウンする。また、実施の形態１の処理を選択している状態で、新たに得られたＣＱＩ値と以前のＣＱＩ値の差分がｋ２´以上の場合に、カウントダウンする。これにより、処理の切り替えの判定精度を上げることができる。
また、本実施の形態では、新たに得られたＣＱＩ値と対応する以前のＣＱＩ値との比較結果として得られた差分を復調方式選択の判断材料としているが、たとえば、実施の形態１１にて説明したように、新たに得られたＣＱＩ値と以前のＣＱＩ値が大きく異なる場合には、以前のＣＱＩ値をスケジューラに供給することとしてもよい。
実施の形態１５．
前述の実施の形態１０〜１４では、１個のＨＳ−ＤＰＣＣＨ復調処理部が、複数端末から送られてくる１サブフレーム内のＣＱＩ信号を時分割に復調することにより、ＨＳ−ＤＰＣＣＨ復調処理部の個数を削減していた。これに対し、本実施の形態では、ＣＱＩ信号が複数サブフレームで反復送信されている場合に、サブフレーム毎に時分割に復調することにより、ＨＳ−ＤＰＣＣＨ復調処理部の個数を削減する。
第２３図は、実施の形態１５の概念を示す図である。図示のように、ＣＱＩ信号が２つのサブフレームにわたって反復されている場合は、１個のＨＳ−ＤＰＣＣＨ復調処理部が、たとえば、第１サブフレームでは端末＃１から送られてくるＣＱＩ信号を、一方、第２サブフレームでは端末＃２から送られてくるＣＱＩ信号を、それぞれ復調することにより、２個の端末から送られてくるＣＱＩ信号を１個のＨＳ−ＤＰＣＣＨ復調処理部で復調する。
このような制御を実現するためには、たとえば、第１８図〜第２２図の構成を用いて、受信処理制御部が、逆拡散コード発生部２−１〜２−Ｌが発生するコードをサブフレーム毎に切り替えるように制御する。
以上のように、本実施の形態においては、１個のＨＳ−ＤＰＣＣＨ復調処理部が、複数端末から送られてくるＣＱＩ信号を時分割に復調することとした。これにより、ＨＳ−ＤＰＣＣＨ復調処理部の個数削減が可能となり、基地局の回路規模を削減することができ、ひいては、基地局の小型化、省電力化を実現できる。
実施の形態１６．
本実施の形態では、ＣＱＩ通知タイミングの集中が基地局のハードウェア規模の増大につながる、という問題に対する別のアプローチについて説明する。
第２４図は、本発明にかかる基地局の実施の形態１６の構成を示す図であり、受信処理制御部１ｊと、メモリ８１ｊと、セレクタ８２ｊ−１〜８２ｊ−Ｎと、を備えている。なお、前述した第１図と同様の構成については、同一の符号を付してその説明を省略する。ここでは、実施の形態１と異なる処理についてのみ説明する。
ここで、上記のように構成される基地局の動作について説明する。メモリ８１ｊには、１サブフレーム分の受信信号が蓄積される。また、初期時、セレクタ８２ｊ−１〜８２ｊ−Ｎは、入力信号側を選択していることを前提とする。
この状態で、接続端末数が増加し、同時に受信すべきＣＱＩ信号数ＭがＨＳ−ＤＰＣＣＨ復調処理部３−１〜３−Ｎの個数Ｎを越えた場合（Ｍ＞Ｎ）、受信処理制御部１ｊでは、逆拡散コード発生部２−１〜２−Ｎのコードを制御し、まず、Ｎ個のＣＱＩ信号を復調するようにＨＳ−ＤＰＣＣＨ復調処理部３−１〜３−Ｎを制御する。つぎに、受信処理制御部１ｊでは、次のサブフレームにおいてＭ−Ｎ個のＣＱＩ信号に対応するセレクタ８２ｊ−１〜８２ｊ−Ｎをメモリ８１ｊ側に切り替え、対応する逆拡散コード発生部のコードを制御し、さらに、残りＭ−Ｎ個のＣＱＩ信号を復調するようにＨＳ−ＤＰＣＣＨ復調処理部３−１〜３−Ｎを制御する。
以上のように、本実施の形態では、接続端末数が増加し、同時に受信すべきＣＱＩ信号数ＭがＨＳ−ＤＰＣＣＨ復調処理部の個数Ｎを越えた場合、複数端末から同時に送られてくるＭ個のＣＱＩ信号の中からＮ個を受信し、その復号結果をスケジューラに供給する。同時に、受信信号をメモリに蓄積する。そして、残りのＮ−Ｍ個の端末から送られてくるＣＱＩ信号については、次のサブフレーム等、ＨＳ−ＤＰＣＣＨ復調処理部が処理（選択されたＮ個のＣＱＩ信号に対する復調処理）を行っていない時間を利用して復調することとした。これにより、ＨＳ−ＤＰＣＣＨ復調処理部の個数が削減可能となり、基地局の回路規模を削減することができ、ひいては、基地局の小型化、省電力化を実現できる。
実施の形態１７．
前述の実施の形態１では、接続端末数が増加し、同時に受信すべきＣＱＩ信号数ＭがＨＳ−ＤＰＣＣＨ復調処理部の個数Ｎを越えた場合に（Ｍ＞Ｎ）、複数端末から同時に送られてくるＭ個のＣＱＩ信号の中からＮ個を選択受信し、その復号結果をスケジューラに供給する。そして、残りのＭ−Ｎ個の端末から送られてくるＣＱＩ信号については、以前のＣＱＩ値をメモリから読み出して使用するように制御していた。これに対し、本実施の形態では、上記残りのＭ−Ｎ個の端末から送られてくるＣＱＩ信号については、以前のＣＱＩ値をそのまま使用するのではなく、ＡＣＫ／ＮＡＣＫ受信回数によって補正して使用する。
第２５図は、本発明にかかる基地局の実施の形態１７の構成を示す図であり、ＡＣＫ／ＮＡＣＫカウンタ９１ｋ−１〜９１ｋ−Ｍと、ＣＱＩ値補正部９２ｋ−１〜９２ｋ−Ｍと、を備えている。なお、前述した第１図と同様の構成については、同一の符号を付してその説明を省略する。ここでは、実施の形態１と異なる処理についてのみ説明する。
ここで、上記のように構成される基地局の動作について説明する。ＡＣＫ／ＮＡＣＫカウンタ９１ｋ−１〜９１ｋ−Ｍでは、ＨＳ−ＤＰＣＣＨ復調処理部３−１〜３−ＮおよびＨＳ−ＤＰＣＣＨ復号処理部４−１〜４−Ｎにより復調および復号された受信ＨＳ−ＤＰＣＣＨ信号のＡＣＫ／ＮＡＣＫの受信回数をカウントする。
たとえば、上記残りのＭ−Ｎ個の端末から送られてくるＣＱＩ信号については、まず、以前に受信したＣＱＩ値をメモリ６から読み出し（残りＭ−Ｎ個の端末に対応するＣＱＩ値を使用）、対応するＣＱＩ値補正部に供給する。残りのＭ−Ｎ個の端末に対応するＣＱＩ値を供給されたＣＱＩ値補正部では、対応するＡＣＫ／ＮＡＣＫカウンタのＮＡＣＫカウント値がｋ３以上のとき、メモリ６から読み出したＣＱＩ値からｊ１を引き、減算後のＣＱＩ値を残りの端末からのＣＱＩ値としてスケジューラ５に供給する（ｋ１，ｊ１は予め規定された１以上の整数）。
また、上記残りのＭ−Ｎ個の端末に対応するＣＱＩ値を供給されたＣＱＩ値補正部では、対応するＡＣＫ／ＮＡＣＫカウンタのＡＣＫカウント値がｋ４以上のとき、メモリ６から読み出したＣＱＩ値にｊ２を加え、加算後のＣＱＩ値を残りの端末からのＣＱＩ値としてスケジューラ５に供給する（ｋ２，ｊ２は予め規定された１以上の整数）。
以上のように、本実施の形態においては、接続端末数が増加し、同時に受信すべきＣＱＩ信号数ＭがＨＳ−ＤＰＣＣＨ復調処理部の個数Ｎを越えた場合に、複数端末から同時に送られてくるＭ個のＣＱＩ信号の中からＮ個を選択受信し、その復号結果をスケジューラに供給するように制御することとした。一方で、残りのＭ−Ｎ個の端末から送られてくるＣＱＩ信号については、以前のＣＱＩ値をＡＣＫ／ＮＡＣＫの受信回数によって補正することとした。これにより、ＨＳ−ＤＰＣＣＨ復調処理部の個数を削減できるとともに、さらに、ＣＱＩ値の補正により、無線通信品質の変動によるスループットの劣化を防ぐことができる。
なお、本実施の形態では、ＣＱＩ値をＡＣＫ／ＮＡＣＫカウント値に基づいて補正しているが、これに限らず、たとえば、ＳＩＲ値等に基づいてＣＱＩ値を補正することも可能である。
【産業上の利用可能性】  以上のように、本発明にかかる基地局は、パケットデータ伝送を行う通信システムを構成する基地局として有用であり、特に、３ＧＰＰにおいて規定された移動体通信システムを構成する基地局として適している。
【図１】
2005122263.tif 000004
【図２】
2005122263.tif 000005
【図３】
2005122263.tif 000006
【図４】
2005122263.tif 000007
【図５】
2005122263.tif 000008
【図６】
2005122263.tif 000009
【図７】
2005122263.tif 000010
【図８】
2005122263.tif 000011
【図９】
2005122263.tif 000012
【図１０】
2005122263.tif 000013
【図１１】
2005122263.tif 000014
【図１２】
2005122263.tif 000015
【図１３】
2005122263.tif 000016
【図１４】
2005122263.tif 000017
【図１５】
2005122263.tif 000018
【図１６】
2005122263.tif 000019
【図１７】
2005122263.tif 000020
【図１８】
2005122263.tif 000021
【図１９】
2005122263.tif 000022
【図２０】
2005122263.tif 000023
【図２１】
2005122263.tif 000024
【図２２】
2005122263.tif 000025
【図２３】
2005122263.tif 000026
【図２４】
2005122263.tif 000027
【図２５】
2005122263.tif 000028
【国際調査報告】
2005122263.tif 000029
2005122263.tif 000030